(57)【要約】【課題】ユーザの預託口座残高が所望するコンテンツの料金未満の額であった場合でも、残高に見合う時間分だけコンテンツを切り売り提供する。【解決手段】コンテンツ提供サーバ２０が、コンテンツの注文受信時に預託決済サーバ３０からユーザの預託口座残高を取得する手段と、預託口座残高が注文されたコンテンツの料金未満の額であった場合に、ユーザ端末１０に残高不足を通知しその後の処理を選択させる手段と、選択された処理が残高分に見合う時間のコンテンツ視聴であった場合に、残高に見合う提供可能時間を算出する手段と、コンテンツを提供可能時間だけユーザ端末１０に提供する手段と、選択された処理が残高分で視聴可能な他のコンテンツの提供であった場合に、該当コンテンツを検索してユーザ端末１０に提示し、選択されたコンテンツを提供する手段と、コンテンツ料金の決済を前記預託決済サーバに依頼する手段とを有する。【選択図】      図１
2005018320.tif 000002
【特許請求の範囲】
【請求項１】
ユーザ端末と、コンテンツ提供サーバと、預託決済サーバと、これらを相互に接続するネットワークとを備えた有料コンテンツ提供システムであって、
前記ユーザ端末は、前記ネットワークを介して前記コンテンツ提供サーバにアクセスしコンテンツを注文する手段と、前記コンテンツ提供サーバから提供されたコンテンツを視聴する手段とを有し、
前記コンテンツ提供サーバは、前記ユーザ端末からのコンテンツの注文受信時に前記預託決済サーバから該当ユーザの預託口座残高を取得する手段と、取得した預託口座残高が注文されたコンテンツの料金以上であるかを照合する手段と、コンテンツの料金以上の残高であった場合に、コンテンツを前記ユーザ端末に提供する手段と、コンテンツの料金未満の残高であった場合に、前記ユーザ端末に残高不足を通知し残高分に見合う時間のコンテンツ視聴を行うか否かを選択させる手段と、行う旨の選択があった場合に、残高と内部のコンテンツ記憶部に予め登録されたコンテンツ毎の単位時間料金データとから提供可能時間を算出する手段と、コンテンツを提供可能時間だけ前記ユーザ端末に提供する手段とを有し、
前記預託決済サーバは、ユーザから入金された預託金を内部の口座記憶部に含まれるユーザ毎の預託口座に登録する手段と、前記コンテンツ提供サーバから依頼されたユーザの預託口座の残高を前記口座記憶部から取得して前記コンテンツ提供サーバに送信する手段とを有することを特徴とする有料コンテンツ提供システム。
【請求項２】
ユーザ端末と、コンテンツ提供サーバと、預託決済サーバと、これらを相互に接続するネットワークとを備えた有料コンテンツ提供システムであって、
前記ユーザ端末は、前記ネットワークを介して前記コンテンツ提供サーバにアクセスしコンテンツを注文する手段と、前記コンテンツ提供サーバから提供されたコンテンツを視聴する手段とを有し、
前記コンテンツ提供サーバは、前記ユーザ端末からのコンテンツの注文受信時に前記預託決済サーバから該当ユーザの預託口座残高を取得する手段と、取得した預託口座残高が注文されたコンテンツの料金以上であるかを照合する手段と、コンテンツの料金以上の残高であった場合に、コンテンツを前記ユーザ端末に提供する手段と、コンテンツの料金未満の残高であった場合に、前記ユーザ端末に残高不足を通知しその後の処理を選択させる手段と、選択された処理が残高分に見合う時間のコンテンツ視聴であった場合に、残高と内部のコンテンツ記憶部に予め登録されたコンテンツ毎の単位時間料金データとから提供可能時間を算出する手段と、コンテンツを提供可能時間だけ前記ユーザ端末に提供する手段と、選択された処理が残高分で視聴可能な他のコンテンツの提供であった場合に、該当コンテンツを検索して前記ユーザ端末に検索結果一覧を提示し、ユーザから選択されたコンテンツを前記ユーザ端末に提供する手段と、提供したコンテンツの料金の決済を前記預託決済サーバに依頼する手段とを有し、
前記預託決済サーバは、ユーザから入金された預託金を内部の口座記憶部に含まれるユーザ毎の預託口座に登録する手段と、前記コンテンツ提供サーバから依頼されたユーザの預託口座の残高を前記口座記憶部から取得して前記コンテンツ提供サーバに送信する手段と、ユーザの預託口座からコンテンツ提供業者の決済口座へのコンテンツ料金の振り込み処理を行う手段とを有することを特徴とする有料コンテンツ提供システム。
【請求項３】
前記コンテンツは、分割しない一つのコンテンツ全体、または、所定時間単位またはパート毎に一つのコンテンツを複数に分けた分割コンテンツであり、前記ユーザ端末におけるコンテンツの注文時に、前記コンテンツ提供サーバから送信されるコンテンツ注文画面上の全体コンテンツ，各分割コンテンツ毎の料金や視聴に要する時間を参照することにより、所望のコンテンツを選択，注文することを特徴とする請求項１または２記載の有料コンテンツ提供システム。
【請求項４】
ユーザ端末がネットワークを介してコンテンツ提供サーバから有料コンテンツの提供を受けるときの料金を、ユーザが予め預託金を入金しておいた預託口座から支払う場合における有料コンテンツ提供方法であって、
コンテンツの注文受信時に、預託口座の残高がコンテンツの料金未満の額であった場合、残高分に見合う時間だけ前記ユーザ端末にコンテンツの提供を行うことを特徴とする有料コンテンツ提供方法。
【請求項５】
ユーザ端末がネットワークを介してコンテンツ提供サーバから有料コンテンツの提供を受けるときの料金を、ユーザが予め預託金を入金しておいた預託口座から支払う場合における有料コンテンツ提供方法であって、
コンテンツの注文受信時に、預託口座の残高がコンテンツの料金未満の額であった場合、残高分に見合う時間だけコンテンツの提供を行うか、残高分で提供可能な他のコンテンツの提供を行うか、または視聴を取りやめるかをユーザの選択に応じて実行することを特徴とする有料コンテンツ提供方法。
【請求項６】
ユーザ端末と、コンテンツ提供サーバと、預託決済サーバと、これらを相互に接続するネットワークとを備えたシステムにおける有料コンテンツ提供方法であって、
ユーザから入金があったときに、前記預託決済サーバが内部の口座記憶部に格納されたユーザ毎の預託口座に登録するステップと、前記ユーザ端末から前記コンテンツ提供サーバにコンテンツの注文があったときに、前記コンテンツ提供サーバが該当ユーザの預託口座残高を前記預託決済サーバから取得するステップと、取得した預託口座残高が注文されたコンテンツの料金以上であるかを前記コンテンツ提供サーバが照合するステップと、コンテンツの料金以上の残高であった場合に、コンテンツを前記ユーザ端末に提供するステップと、コンテンツの料金未満の残高であった場合に、前記コンテンツ提供サーバが前記ユーザ端末に残高不足を通知し残高分に見合う時間のコンテンツ視聴を行うか否かを選択させるステップと、行う旨の選択があった場合に、前記コンテンツ提供サーバが残高と内部のコンテンツ記憶部に予め登録されたコンテンツ毎の単位時間料金データとから提供可能時間を算出するステップと、前記コンテンツ提供サーバがコンテンツを提供可能時間だけ前記ユーザ端末に提供するステップとを有することを特徴とする有料コンテンツ提供方法。
【請求項７】
ユーザ端末と、コンテンツ提供サーバと、預託決済サーバと、これらを相互に接続するネットワークとを備えたシステムにおける有料コンテンツ提供方法であって、
ユーザから入金があったときに、前記預託決済サーバが内部の口座記憶部に格納されたユーザ毎の預託口座に登録するステップと、前記ユーザ端末から前記コンテンツ提供サーバにコンテンツの注文があったときに、前記コンテンツ提供サーバが該当ユーザの預託口座残高を前記預託決済サーバから取得するステップと、取得した預託口座残高が注文されたコンテンツの料金以上であるかを前記コンテンツ提供サーバが照合するステップと、コンテンツの料金以上の残高であった場合に、コンテンツを前記ユーザ端末に提供するステップと、コンテンツの料金未満の残高であった場合に、前記コンテンツ提供サーバが前記ユーザ端末に残高不足を通知しその後の処理を選択させるステップと、選択された処理が残高分に見合う時間のコンテンツ視聴であった場合に、前記コンテンツ提供サーバが残高と内部のコンテンツ記憶部に予め登録されたコンテンツ毎の単位時間料金データとから提供可能時間を算出するステップと、前記コンテンツ提供サーバがコンテンツを提供可能時間だけ前記ユーザ端末に提供するステップと、選択された処理が残高分で視聴可能な他のコンテンツの提供であった場合に、前記コンテンツ提供サーバが該当コンテンツを検索して前記ユーザ端末に検索結果一覧を提示し、ユーザから選択されたコンテンツを前記コンテンツ提供サーバが前記ユーザ端末に提供するステップと、提供したコンテンツの料金の決済を前記コンテンツ提供サーバが前記預託決済サーバに依頼するステップと、前記預託決済サーバがユーザの預託口座からコンテンツ提供業者の決済口座へのコンテンツ料金の振り込み処理を行うステップとを有することを特徴とする有料コンテンツ提供方法。
【請求項８】
前記ユーザ端末から注文されるコンテンツは、分割しない一つのコンテンツ全体、または、所定時間単位またはパート毎に一つのコンテンツを複数に分けた分割コンテンツであり、前記ユーザ端末におけるコンテンツの注文時に、前記コンテンツ提供サーバから送信されるコンテンツ注文画面上の全体コンテンツ，各分割コンテンツ毎の料金や視聴に要する時間を参照することにより選択されたものであることを特徴とする請求項４，５，６または７記載の有料コンテンツ提供方法。
【請求項９】
ユーザ端末と、コンテンツ提供サーバと、預託決済サーバと、これらを相互に接続するネットワークとを備えたシステムにおけるコンテンツ提供サーバであって、
前記ユーザ端末からのコンテンツの注文受信時に前記預託決済サーバから該当ユーザの預託口座残高を取得する手段と、取得した預託口座残高が注文されたコンテンツの料金以上であるかを照合する手段と、コンテンツの料金以上の残高であった場合に、コンテンツを前記ユーザ端末に提供する手段と、コンテンツの料金未満の残高であった場合に、前記ユーザ端末に残高不足を通知し残高分に見合う時間のコンテンツ視聴を行うか否かを選択させる手段と、行う旨の選択があった場合に、残高と内部のコンテンツ記憶部に予め登録されたコンテンツ毎の単位時間料金データとから提供可能時間を算出する手段と、コンテンツを提供可能時間だけ前記ユーザ端末に提供する手段とを有することを特徴とするコンテンツ提供サーバ。
【請求項１０】
ユーザ端末と、コンテンツ提供サーバと、預託決済サーバと、これらを相互に接続するネットワークとを備えたシステムにおけるコンテンツ提供サーバであって、
前記ユーザ端末からのコンテンツの注文受信時に前記預託決済サーバから該当ユーザの預託口座残高を取得する手段と、取得した預託口座残高が注文されたコンテンツの料金以上であるかを照合する手段と、コンテンツの料金以上の残高であった場合に、コンテンツを前記ユーザ端末に提供する手段と、コンテンツの料金未満の残高であった場合に、前記ユーザ端末に残高不足を通知しその後の処理を選択させる手段と、選択された処理が残高分に見合う時間のコンテンツ視聴であった場合に、残高と内部のコンテンツ記憶部に予め登録されたコンテンツ毎の単位時間料金データとから提供可能時間を算出する手段と、コンテンツを提供可能時間だけ前記ユーザ端末に提供する手段と、選択された処理が残高分で視聴可能な他のコンテンツの提供であった場合に、該当コンテンツを検索して前記ユーザ端末に検索結果一覧を提示し、ユーザから選択されたコンテンツを前記ユーザ端末に提供する手段と、提供したコンテンツの料金をユーザの預託口座からコンテンツ提供業者の決済口座に振り込むよう前記預託決済サーバに依頼する手段とを有することを特徴とするコンテンツ提供サーバ。
【請求項１１】
前記コンテンツは、分割しない一つのコンテンツ全体、または、所定時間単位またはパート毎に一つのコンテンツを複数に分けた分割コンテンツであり、前記ユーザ端末におけるコンテンツの注文時に、コンテンツ注文画面上に全体コンテンツ，各分割コンテンツ毎の料金や視聴に要する時間を含めて表示，送信する手段を、さらに有することを特徴とする請求項９または１０記載のコンテンツ提供サーバ。
【請求項１２】
ユーザ端末と、コンテンツ提供サーバと、預託決済サーバと、これらを相互に接続するネットワークとを備えたシステムにおけるコンテンツ提供サーバに適用されるプログラムであって、
前記ユーザ端末からのコンテンツの注文受信時に前記預託決済サーバから該当ユーザの預託口座残高を取得する機能、取得した預託口座残高が注文されたコンテンツの料金以上であるかを照合する機能、コンテンツの料金以上の残高であった場合に、コンテンツを前記ユーザ端末に提供する機能、コンテンツの料金未満の残高であった場合に、前記ユーザ端末に残高不足を通知し残高分に見合う時間のコンテンツ視聴を行うか否かを選択させる機能、行う旨の選択があった場合に、残高と内部のコンテンツ記憶部に予め登録されたコンテンツ毎の単位時間料金データとから提供可能時間を算出する機能、コンテンツを提供可能時間だけ前記ユーザ端末に提供する機能、をコンピュータに実現させるためのプログラム。
【請求項１３】
ユーザ端末と、コンテンツ提供サーバと、預託決済サーバと、これらを相互に接続するネットワークとを備えたシステムにおけるコンテンツ提供サーバに適用されるプログラムであって、
前記ユーザ端末からのコンテンツの注文受信時に前記預託決済サーバから該当ユーザの預託口座残高を取得する機能、取得した預託口座残高が注文されたコンテンツの料金以上であるかを照合する機能、コンテンツの料金以上の残高であった場合に、コンテンツを前記ユーザ端末に提供する機能、コンテンツの料金未満の残高であった場合に、前記ユーザ端末に残高不足を通知しその後の処理を選択させる機能、選択された処理が残高分に見合う時間のコンテンツ視聴であった場合に、残高と内部のコンテンツ記憶部に予め登録されたコンテンツ毎の単位時間料金データとから提供可能時間を算出する機能、コンテンツを提供可能時間だけ前記ユーザ端末に提供する機能、選択された処理が残高分で視聴可能な他のコンテンツの提供であった場合に、該当コンテンツを検索して前記ユーザ端末に検索結果一覧を提示し、ユーザから選択されたコンテンツを前記ユーザ端末に提供する機能、提供したコンテンツの料金をユーザの預託口座からコンテンツ提供業者の決済口座に振り込むよう前記預託決済サーバに依頼する機能、をコンピュータに実現させるためのプログラム。
【請求項１４】
前記コンテンツは、分割しない一つのコンテンツ全体、または、所定時間単位またはパート毎に一つのコンテンツを複数に分けた分割コンテンツであり、前記ユーザ端末におけるコンテンツの注文時に、コンテンツ注文画面上に全体コンテンツ，各分割コンテンツ毎の料金や視聴に要する時間を含めて表示，送信する機能を、さらに有することを特徴とする請求項１２または１３記載のプログラム。
【発明の詳細な説明】
【０００１】
【発明の属する技術分野】
本発明は、有料コンテンツ提供システム，方法，コンテンツ提供サーバおよびプログラムに関し、特にユーザ端末がネットワークを介してコンテンツ提供サーバから有料コンテンツの提供を受けるときの料金を、ユーザが予め預託しておいた預託金から支払う場合における有料コンテンツ提供システム，方法，コンテンツ提供サーバおよびプログラムに関する。
【０００２】
【従来の技術】
従来、インターネット等のネットワークを介して有料コンテンツの提供を受け、その料金を預託金から支払う例としては、例えば特開２００２−２４７２１号公報（特許文献１）に記載された電子決済システム、電子決済方法、サプライヤシステム、及びプログラムを記録した記録媒体がある。
【０００３】
この特許文献１においては、ユーザ端末から商品やコンテンツを提供するサプライヤシステムに対して注文があったときに、サプライヤシステムは該当ユーザの預託残高を預託管理システムから取得し、預託残高が注文された商品またはコンテンツの料金以上であった場合に注文を受け付け、該当ユーザの預託口座からサプライヤの決済口座に商品またはコンテンツの料金分を振り込むよう預託管理システムに依頼する。預託管理システムは依頼された振り込み処理を行い、この結果、該当ユーザの預託口座の残高は注文前の預託残高から今回の提供料金分を差し引いた額に更新される。また、預託残高が注文された商品またはコンテンツの料金未満であった場合には、サプライヤシステムはユーザ端末に注文不可である旨を通知することが記載されている。
【０００４】
【特許文献１】
特開２００２−２４７２１号公報（段落「０００７」、図１、図７）
【０００５】
【発明が解決しようとする課題】
しかし、上述した特許文献１においては、ユーザの預託残高が所望するコンテンツの料金未満であった場合は注文が受け付けられないようになっているため、ユーザは預託口座に入金後に改めて注文するか、預託口座に常に多めの金額を入金しておかなければならなかった。換言すれば、所望コンテンツを少ない預託残高に見合う時間分だけでも視聴したいといったユーザの要求があった場合に、これに即座に応えることができないという問題がある。また、コンテンツ提供業者にとっても、ユーザの預託残高が所望するコンテンツの料金未満であった場合に、単に注文を拒否するのではなく、現時点の預託残高で提供可能な他のコンテンツをユーザに推奨するといったことがなされておらず、売り上げ増の機会を逸する結果になっている。
【０００６】
本発明は、以上の問題を解決する有料コンテンツ提供システム，方法，コンテンツ提供サーバおよびプログラムを提供することを目的とする。
【０００７】
【課題を解決するための手段】
本発明の第１の有料コンテンツ提供システムは、ユーザ端末と、コンテンツ提供サーバと、預託決済サーバと、これらを相互に接続するネットワークとを備えた有料コンテンツ提供システムであって、
前記ユーザ端末は、前記ネットワークを介して前記コンテンツ提供サーバにアクセスしコンテンツを注文する手段と、前記コンテンツ提供サーバから提供されたコンテンツを視聴する手段とを有し、
前記コンテンツ提供サーバは、前記ユーザ端末からのコンテンツの注文受信時に前記預託決済サーバから該当ユーザの預託口座残高を取得する手段と、取得した預託口座残高が注文されたコンテンツの料金以上であるかを照合する手段と、コンテンツの料金以上の残高であった場合に、コンテンツを前記ユーザ端末に提供する手段と、コンテンツの料金未満の残高であった場合に、前記ユーザ端末に残高不足を通知し残高分に見合う時間のコンテンツ視聴を行うか否かを選択させる手段と、行う旨の選択があった場合に、残高と内部のコンテンツ記憶部に予め登録されたコンテンツ毎の単位時間料金データとから提供可能時間を算出する手段と、コンテンツを提供可能時間だけ前記ユーザ端末に提供する手段とを有し、
前記預託決済サーバは、ユーザから入金された預託金を内部の口座記憶部に含まれるユーザ毎の預託口座に登録する手段と、前記コンテンツ提供サーバから依頼されたユーザの預託口座の残高を前記口座記憶部から取得して前記コンテンツ提供サーバに送信する手段とを有する。
【０００８】
本発明の第２の有料コンテンツ提供システムは、ユーザ端末と、コンテンツ提供サーバと、預託決済サーバと、これらを相互に接続するネットワークとを備えた有料コンテンツ提供システムであって、
前記ユーザ端末は、前記ネットワークを介して前記コンテンツ提供サーバにアクセスしコンテンツを注文する手段と、前記コンテンツ提供サーバから提供されたコンテンツを視聴する手段とを有し、
前記コンテンツ提供サーバは、前記ユーザ端末からのコンテンツの注文受信時に前記預託決済サーバから該当ユーザの預託口座残高を取得する手段と、取得した預託口座残高が注文されたコンテンツの料金以上であるかを照合する手段と、コンテンツの料金以上の残高であった場合に、コンテンツを前記ユーザ端末に提供する手段と、コンテンツの料金未満の残高であった場合に、前記ユーザ端末に残高不足を通知しその後の処理を選択させる手段と、選択された処理が残高分に見合う時間のコンテンツ視聴であった場合に、残高と内部のコンテンツ記憶部に予め登録されたコンテンツ毎の単位時間料金データとから提供可能時間を算出する手段と、コンテンツを提供可能時間だけ前記ユーザ端末に提供する手段と、選択された処理が残高分で視聴可能な他のコンテンツの提供であった場合に、該当コンテンツを検索して前記ユーザ端末に検索結果一覧を提示し、ユーザから選択されたコンテンツを前記ユーザ端末に提供する手段と、提供したコンテンツの料金の決済を前記預託決済サーバに依頼する手段とを有し、
前記預託決済サーバは、ユーザから入金された預託金を内部の口座記憶部に含まれるユーザ毎の預託口座に登録する手段と、前記コンテンツ提供サーバから依頼されたユーザの預託口座の残高を前記口座記憶部から取得して前記コンテンツ提供サーバに送信する手段と、ユーザの預託口座からコンテンツ提供業者の決済口座へのコンテンツ料金の振り込み処理を行う手段とを有する。
【０００９】
本発明の第３の有料コンテンツ提供システムは、本発明の第１または第２の有料コンテンツ提供システムにおいて、前記コンテンツは、分割しない一つのコンテンツ全体、または、所定時間単位またはパート毎に一つのコンテンツを複数に分けた分割コンテンツであり、前記ユーザ端末におけるコンテンツの注文時に、前記コンテンツ提供サーバから送信されるコンテンツ注文画面上の全体コンテンツ，各分割コンテンツ毎の料金や視聴に要する時間を参照することにより、所望のコンテンツを選択，注文することを特徴とする。
【００１０】
本発明の第１の有料コンテンツ提供方法は、ユーザ端末がネットワークを介してコンテンツ提供サーバから有料コンテンツの提供を受けるときの料金を、ユーザが予め預託金を入金しておいた預託口座から支払う場合における有料コンテンツ提供方法であって、
コンテンツの注文受信時に、預託口座の残高がコンテンツの料金未満の額であった場合、残高分に見合う時間だけ前記ユーザ端末にコンテンツの提供を行うことを特徴とする。
【００１１】
本発明の第２の有料コンテンツ提供方法は、ユーザ端末がネットワークを介してコンテンツ提供サーバから有料コンテンツの提供を受けるときの料金を、ユーザが予め預託金を入金しておいた預託口座から支払う場合における有料コンテンツ提供方法であって、
コンテンツの注文受信時に、預託口座の残高がコンテンツの料金未満の額であった場合、残高分に見合う時間だけコンテンツの提供を行うか、残高分で提供可能な他のコンテンツの提供を行うか、または視聴を取りやめるかをユーザの選択に応じて実行することを特徴とする。
【００１２】
本発明の第３の有料コンテンツ提供方法は、ユーザ端末と、コンテンツ提供サーバと、預託決済サーバと、これらを相互に接続するネットワークとを備えたシステムにおける有料コンテンツ提供方法であって、
ユーザから入金があったときに、前記預託決済サーバが内部の口座記憶部に格納されたユーザ毎の預託口座に登録するステップと、前記ユーザ端末から前記コンテンツ提供サーバにコンテンツの注文があったときに、前記コンテンツ提供サーバが該当ユーザの預託口座残高を前記預託決済サーバから取得するステップと、取得した預託口座残高が注文されたコンテンツの料金以上であるかを前記コンテンツ提供サーバが照合するステップと、コンテンツの料金以上の残高であった場合に、コンテンツを前記ユーザ端末に提供するステップと、コンテンツの料金未満の残高であった場合に、前記コンテンツ提供サーバが前記ユーザ端末に残高不足を通知し残高分に見合う時間のコンテンツ視聴を行うか否かを選択させるステップと、行う旨の選択があった場合に、前記コンテンツ提供サーバが残高と内部のコンテンツ記憶部に予め登録されたコンテンツ毎の単位時間料金データとから提供可能時間を算出するステップと、前記コンテンツ提供サーバがコンテンツを提供可能時間だけ前記ユーザ端末に提供するステップとを有する。
【００１３】
本発明の第４の有料コンテンツ提供方法は、ユーザ端末と、コンテンツ提供サーバと、預託決済サーバと、これらを相互に接続するネットワークとを備えたシステムにおける有料コンテンツ提供方法であって、
ユーザから入金があったときに、前記預託決済サーバが内部の口座記憶部に格納されたユーザ毎の預託口座に登録するステップと、前記ユーザ端末から前記コンテンツ提供サーバにコンテンツの注文があったときに、前記コンテンツ提供サーバが該当ユーザの預託口座残高を前記預託決済サーバから取得するステップと、取得した預託口座残高が注文されたコンテンツの料金以上であるかを前記コンテンツ提供サーバが照合するステップと、コンテンツの料金以上の残高であった場合に、コンテンツを前記ユーザ端末に提供するステップと、コンテンツの料金未満の残高であった場合に、前記コンテンツ提供サーバが前記ユーザ端末に残高不足を通知しその後の処理を選択させるステップと、選択された処理が残高分に見合う時間のコンテンツ視聴であった場合に、前記コンテンツ提供サーバが残高と内部のコンテンツ記憶部に予め登録されたコンテンツ毎の単位時間料金データとから提供可能時間を算出するステップと、前記コンテンツ提供サーバがコンテンツを提供可能時間だけ前記ユーザ端末に提供するステップと、選択された処理が残高分で視聴可能な他のコンテンツの提供であった場合に、前記コンテンツ提供サーバが該当コンテンツを検索して前記ユーザ端末に検索結果一覧を提示し、ユーザから選択されたコンテンツを前記コンテンツ提供サーバが前記ユーザ端末に提供するステップと、提供したコンテンツの料金の決済を前記コンテンツ提供サーバが前記預託決済サーバに依頼するステップと、前記預託決済サーバがユーザの預託口座からコンテンツ提供業者の決済口座へのコンテンツ料金の振り込み処理を行うステップとを有する。
【００１４】
本発明の第５の有料コンテンツ提供方法は、本発明の第１，第２，第３または第４の有料コンテンツ提供方法において、前記ユーザ端末から注文されるコンテンツは、分割しない一つのコンテンツ全体、または、所定時間単位またはパート毎に一つのコンテンツを複数に分けた分割コンテンツであり、前記ユーザ端末におけるコンテンツの注文時に、前記コンテンツ提供サーバから送信されるコンテンツ注文画面上の全体コンテンツ，各分割コンテンツ毎の料金や視聴に要する時間を参照することにより選択されたものであることを特徴とする。
【００１５】
本発明の第１のコンテンツ提供サーバは、ユーザ端末と、コンテンツ提供サーバと、預託決済サーバと、これらを相互に接続するネットワークとを備えたシステムにおけるコンテンツ提供サーバであって、
前記ユーザ端末からのコンテンツの注文受信時に前記預託決済サーバから該当ユーザの預託口座残高を取得する手段と、取得した預託口座残高が注文されたコンテンツの料金以上であるかを照合する手段と、コンテンツの料金以上の残高であった場合に、コンテンツを前記ユーザ端末に提供する手段と、コンテンツの料金未満の残高であった場合に、前記ユーザ端末に残高不足を通知し残高分に見合う時間のコンテンツ視聴を行うか否かを選択させる手段と、行う旨の選択があった場合に、残高と内部のコンテンツ記憶部に予め登録されたコンテンツ毎の単位時間料金データとから提供可能時間を算出する手段と、コンテンツを提供可能時間だけ前記ユーザ端末に提供する手段とを有する。
【００１６】
本発明の第２のコンテンツ提供サーバは、ユーザ端末と、コンテンツ提供サーバと、預託決済サーバと、これらを相互に接続するネットワークとを備えたシステムにおけるコンテンツ提供サーバであって、
前記ユーザ端末からのコンテンツの注文受信時に前記預託決済サーバから該当ユーザの預託口座残高を取得する手段と、取得した預託口座残高が注文されたコンテンツの料金以上であるかを照合する手段と、コンテンツの料金以上の残高であった場合に、コンテンツを前記ユーザ端末に提供する手段と、コンテンツの料金未満の残高であった場合に、前記ユーザ端末に残高不足を通知しその後の処理を選択させる手段と、選択された処理が残高分に見合う時間のコンテンツ視聴であった場合に、残高と内部のコンテンツ記憶部に予め登録されたコンテンツ毎の単位時間料金データとから提供可能時間を算出する手段と、コンテンツを提供可能時間だけ前記ユーザ端末に提供する手段と、選択された処理が残高分で視聴可能な他のコンテンツの提供であった場合に、該当コンテンツを検索して前記ユーザ端末に検索結果一覧を提示し、ユーザから選択されたコンテンツを前記ユーザ端末に提供する手段と、提供したコンテンツの料金をユーザの預託口座からコンテンツ提供業者の決済口座に振り込むよう前記預託決済サーバに依頼する手段とを有する。
【００１７】
本発明の第３のコンテンツ提供サーバは、本発明の第１または第２のコンテンツ提供サーバにおいて、前記コンテンツは、分割しない一つのコンテンツ全体、または、所定時間単位またはパート毎に一つのコンテンツを複数に分けた分割コンテンツであり、前記ユーザ端末におけるコンテンツの注文時に、コンテンツ注文画面上に全体コンテンツ，各分割コンテンツ毎の料金や視聴に要する時間を含めて表示，送信する手段を、さらに有する。
【００１８】
本発明の第１のプログラムは、ユーザ端末と、コンテンツ提供サーバと、預託決済サーバと、これらを相互に接続するネットワークとを備えたシステムにおけるコンテンツ提供サーバに適用されるプログラムであって、
前記ユーザ端末からのコンテンツの注文受信時に前記預託決済サーバから該当ユーザの預託口座残高を取得する機能、取得した預託口座残高が注文されたコンテンツの料金以上であるかを照合する機能、コンテンツの料金以上の残高であった場合に、コンテンツを前記ユーザ端末に提供する機能、コンテンツの料金未満の残高であった場合に、前記ユーザ端末に残高不足を通知し残高分に見合う時間のコンテンツ視聴を行うか否かを選択させる機能、行う旨の選択があった場合に、残高と内部のコンテンツ記憶部に予め登録されたコンテンツ毎の単位時間料金データとから提供可能時間を算出する機能、コンテンツを提供可能時間だけ前記ユーザ端末に提供する機能、をコンピュータに実現させる。
【００１９】
本発明の第２のプログラムは、ユーザ端末と、コンテンツ提供サーバと、預託決済サーバと、これらを相互に接続するネットワークとを備えたシステムにおけるコンテンツ提供サーバに適用されるプログラムであって、
前記ユーザ端末からのコンテンツの注文受信時に前記預託決済サーバから該当ユーザの預託口座残高を取得する機能、取得した預託口座残高が注文されたコンテンツの料金以上であるかを照合する機能、コンテンツの料金以上の残高であった場合に、コンテンツを前記ユーザ端末に提供する機能、コンテンツの料金未満の残高であった場合に、前記ユーザ端末に残高不足を通知しその後の処理を選択させる機能、選択された処理が残高分に見合う時間のコンテンツ視聴であった場合に、残高と内部のコンテンツ記憶部に予め登録されたコンテンツ毎の単位時間料金データとから提供可能時間を算出する機能、コンテンツを提供可能時間だけ前記ユーザ端末に提供する機能、選択された処理が残高分で視聴可能な他のコンテンツの提供であった場合に、該当コンテンツを検索して前記ユーザ端末に検索結果一覧を提示し、ユーザから選択されたコンテンツを前記ユーザ端末に提供する機能、提供したコンテンツの料金をユーザの預託口座からコンテンツ提供業者の決済口座に振り込むよう前記預託決済サーバに依頼する機能、をコンピュータに実現させる。
【００２０】
本発明の第３のプログラムは、本発明の第１または第２のプログラムにおいて、前記コンテンツは、分割しない一つのコンテンツ全体、または、所定時間単位またはパート毎に一つのコンテンツを複数に分けた分割コンテンツであり、前記ユーザ端末におけるコンテンツの注文時に、コンテンツ注文画面上に全体コンテンツ，各分割コンテンツ毎の料金や視聴に要する時間を含めて表示，送信する機能を、さらに有する。
【００２１】
【発明の実施の形態】
本発明の実施の形態について図面を参照して詳細に説明する。
【００２２】
図１は、本発明の一実施の形態の構成を示す図であり、ユーザ端末１０と、コンテンツ提供サーバ２０と、預託決済サーバ３０と、これらを相互に接続するインターネット等のネットワーク１００とを備えている。
【００２３】
ユーザ端末１０は、ユーザが使用するパーソナルコンピュータ等の情報処理装置である。このユーザ端末１０は、コンテンツ提供サーバ２０がネットワーク１００上に提供しているコンテンツ提供ホームページにアクセスする手段と、キー入力や選択により会員登録情報やコンテンツ注文情報等を入力し、ネットワーク１００を介してコンテンツ提供サーバ２０に送信する手段と、ネットワーク１００を介して送信されるコンテンツ情報を視聴する手段（画面表示手段や音声出力手段等）とを備えている。
【００２４】
なお、本発明におけるコンテンツとは、例えば、映画，囲碁等の動画や、地図，写真等の静止画、クラシック，ジャズ等の音楽、等であり、これらのコンテンツはネットワーク１００を介して有料で提供される。
【００２５】
コンテンツ提供サーバ２０は、コンテンツ提供業者によって備えられるワークステーション・サーバ等の情報処理装置であり、ネットワーク１００上にコンテンツ提供ホームページを開設している。このコンテンツ提供サーバ２０は、制御部２１と、記憶部２２と、タイマー２３とを備えている。
【００２６】
制御部２１は、例えばＣＰＵ等であり、プログラムによりその動作を制御される。この制御部２１は、ネットワーク１００を介したユーザ端末１０からのコンテンツの注文をユーザ認証後に受け付ける手段と、預託決済サーバ３０からユーザの預託口座残高を取得し、注文されたコンテンツの料金以上の残高かを照合する手段と、コンテンツの料金以上の残高であった場合は、注文されたコンテンツをユーザ端末１０に提供する手段と、コンテンツの料金未満の残高であった場合は、ユーザ端末１０に残高不足を通知しその後の処理を選択させる手段と、選択された処理が残高分に見合う時間のコンテンツ視聴であった場合に、提供可能時間を算出しコンテンツを提供可能時間だけユーザ端末１０に提供する手段と、選択された処理が残高分で視聴可能な他のコンテンツの提供であった場合に、該当コンテンツの一覧をユーザ端末１０に提示し、選択されたコンテンツをユーザ端末１０に提供する手段と、提供したコンテンツの料金をユーザの預託口座からコンテンツ提供業者の決済口座に振り込むよう預託決済サーバ３０に依頼する手段とを備えている。
【００２７】
記憶部２２は、読み出し，書き込み可能な記憶装置であり、会員データベース２２１と、コンテンツ情報データベース２２２と、コンテンツ別単位時間料金データベース２２３とを含むデータを格納している。会員データベース２２１には、会員であるユーザのユーザＩＤ，パスワード，預託口座番号がそれぞれ対応付けられて登録されている。コンテンツ情報データベース２２２には、コンテンツと、カテゴリー，分野別のコンテンツ名称，商品番号，料金，概要等の情報とが予め登録されている。コンテンツ別単位時間料金データベース２２３には、各コンテンツのコンテンツ名称，商品番号，視聴時間，料金と、単位時間当たりの視聴料金（例えば、１分毎の料金）とが予め登録されている。
【００２８】
タイマー２３は、例えば時計部やカウンター等であり、制御部２１がコンテンツの提供時間を監視するための情報を提供する。
【００２９】
預託決済サーバ３０は、コンテンツ提供業者または他の外部の決済機関，金融機関等により設置，運営されるワークステーション・サーバ等の情報処理装置であり、制御部３１と、記憶部３２とを備えている。
【００３０】
制御部３１は、例えばＣＰＵ等であり、プログラムによりその動作を制御される。この制御部３１は、ユーザから入金された預託金を預託口座データベース３２１の該当預託口座に登録する手段と、コンテンツ提供サーバ２０から送信されたユーザの預託口座番号を基に預託口座データベース３２１を参照し、該当預託口座の残高を取得してコンテンツ提供サーバ２０に送信する手段と、ユーザの預託口座からコンテンツ提供業者の決済口座へのコンテンツ料金の振り込み依頼をコンテンツ提供サーバ２０から受信して処理する手段とを備えている。
【００３１】
記憶部３２は、読み出し，書き込み可能な記憶装置であり、預託口座データベース３２１と、コンテンツ提供業者決済口座データベース３２２とを含むデータを格納している。預託口座データベース３２１には、ユーザＩＤと預託口座番号と残高とが対応付けられて格納されている。コンテンツ提供業者決済口座データベース３２２には、各コンテンツ提供業者の決済口座情報（例えば、金融機関名，支店名，口座番号等）が、コンテンツ提供業者名やコンテンツ提供業者ＩＤ等と対応付けられて予め登録されている。
【００３２】
次に、本発明の一実施の形態の動作について図１〜図７を参照して説明する。
【００３３】
なお、以降の説明では、ネットワーク１００はインターネットであり、ユーザ端末１０，コンテンツ提供サーバ２０および預託決済サーバ３０から発信される情報は、盗聴やハッキング等をされることのないネットワーク通信路を実現するために、ＳＳＬ（Ｓｅｃｕｒｅ  Ｓｏｃｋｅｔ  Ｌａｙｅｒ）等を用いて安全にやり取りされているものとする。
【００３４】
最初に、会員登録時の動作について図１および図２を参照して説明する。図２は、会員登録時の動作を示すフローチャートである。
【００３５】
図２を参照すると、ユーザはユーザ端末１０から、コンテンツ提供サーバ２０がネットワーク１００上に開設しているコンテンツ提供ホームページにアクセスする（ステップＡ１）。コンテンツ提供サーバ２０の制御部２１は、図示しない記憶装置からメニュー画面情報をユーザ端末１０に送信し（ステップＡ２）、ユーザはメニューの中から会員登録を選択してコンテンツ提供サーバ２０に送信する（ステップＡ３）。コンテンツ提供サーバ２０の制御部２１は会員登録画面情報をユーザ端末１０に送信する（ステップＡ４）。ユーザはユーザＩＤ，パスワードを入力し、ユーザ端末１０は入力されたユーザＩＤ，パスワードをコンテンツ提供サーバ２０に送信する（ステップＡ５）。
【００３６】
コンテンツ提供サーバ２０の制御部２１は、預託決済サーバ３０にアクセスし、ユーザＩＤを送信して預託口座の開設を依頼する（ステップＡ６）。預託決済サーバ３０の制御部３１は、預託口座データベース３２１から空きの（ユーザＩＤが対応付けられていない）預託口座番号を取得してコンテンツ提供サーバ２０に送信する（ステップＡ７）とともに、預託口座データベース３２１の該当預託口座にユーザＩＤを登録する（ステップＡ８）。
【００３７】
コンテンツ提供サーバ２０の制御部２１は、預託決済サーバ３０から受信した預託口座番号とユーザＩＤ，パスワードを含む会員登録終了通知をユーザ端末１０に送信し、預託口座番号への入金を依頼する（ステップＡ９）とともに、会員データベース２２１にユーザＩＤ，パスワード，預託口座番号を対応付けて登録する（ステップＡ１０）。
【００３８】
ユーザ端末１０は、会員登録終了通知と入金依頼を受信して表示する（ステップＡ１１）。ユーザは、都合のよいときに金融機関やコンビニエンスストア等から振り込み等により自分の預託口座に入金する（ステップＡ１２）。預託決済サーバ３０の制御部３１は、入金された金額を預託口座データベース３２１の該当預託口座に登録する。この入金登録は、会員になって初めての場合は入金額が残高として登録され、残高がある時の入金については残高に入金額を加算したものを新しい残高として更新する（ステップＡ１３）。
【００３９】
次に、コンテンツ提供時の動作について図１および図３〜図７を参照して説明する。なお、図３，図４はコンテンツ提供時の動作を示すフローチャートであり、図５，図６は有料コンテンツ注文画面の一例を示す図、図７は預託口座残高不足時の通知画面の一例を示す図である。
【００４０】
図３を参照すると、ユーザはユーザ端末１０から、コンテンツ提供サーバ２０がネットワーク１００上に開設しているコンテンツ提供ホームページにアクセスする（ステップＢ１）。コンテンツ提供サーバ２０の制御部２１は、メニュー画面情報をユーザ端末１０に送信し（ステップＢ２）、ユーザはメニューの中からコンテンツ注文を選択してコンテンツ提供サーバ２０に送信する（ステップＢ３）。コンテンツ提供サーバ２０の制御部２１はユーザＩＤ，パスワードの入力を要求し（ステップＢ４）、ユーザは、ユーザ端末１０からユーザＩＤおよびパスワードを入力してコンテンツ提供サーバ２０に送信する（ステップＢ５）。
【００４１】
コンテンツ提供サーバ２０の制御部２１は、送信されたユーザＩＤ，パスワードが会員データベース２２１に登録されているかを照合して認証する（ステップＢ６）。登録されていなかった場合は、制御部２１はユーザ端末１０に再入力を依頼し、登録されていた場合は、コンテンツ情報データベース２２２に登録されたコンテンツ情報を基にコンテンツ注文画面情報を生成し、ユーザ端末１０に送信する（ステップＢ７）。ユーザは、ユーザ端末１０上に表示された注文画面において、所望するコンテンツを選択しコンテンツ提供サーバ２０に送信する。コンテンツ注文画面は、図５に示すように、提供可能な有料コンテンツの分野（映画，スポーツ，地図，写真，ジャズ等）がカテゴリー（動画，静止画，音楽等）別に一覧表示されている。ユーザはこれらの中から所望する分野、例えばスポーツを選択すると、図６に示すように、スポーツの分野として登録されたコンテンツ情報（コンテンツ名称，商品番号，料金，コンテンツ概要等）が表示される。ユーザは、この中に所望するコンテンツがあれば、購入チェック欄をマウスでクリックして●印を付け、注文ボタンを押下することにより、選択されたコンテンツ情報がコンテンツ提供サーバ２０に送られる（ステップＢ８）。
【００４２】
コンテンツ提供サーバ２０の制御部２１は、会員データベース２２１からユーザＩＤに対応して登録されたユーザの預託口座番号を取得する（ステップＢ９）。そして、預託決済サーバ３０にアクセスし、取得した預託口座番号を送信して残高を問い合わせる（ステップＢ１０）。預託決済サーバ３０の制御部３１は、預託口座データベース３２１を参照し、受信した預託口座番号の預託口座残高を取得してコンテンツ提供サーバ２０に送信する（ステップＢ１１）。
【００４３】
コンテンツ提供サーバ２０の制御部２１は、預託決済サーバ３０から受信した預託口座残高と、ユーザ端末１０から注文されたコンテンツの料金とを照合する（ステップＢ１２）。預託口座残高がコンテンツの料金以上であった場合は、制御部２１はコンテンツをユーザ端末１０に提供し（ステップＢ１３→ステップＢ１４）、ユーザはユーザ端末１０によりコンテンツを視聴する（ステップＢ１５）。
【００４４】
ステップＢ１４に続き、コンテンツ提供サーバ２０の制御部２１は預託決済サーバ３０にアクセスし、預託口座番号，コンテンツの料金，コンテンツ提供業者名またはコンテンツ提供業者ＩＤを送信して、コンテンツ料金の決済処理を依頼する（ステップＢ１６）。預託決済サーバ３０の制御部３１は、コンテンツ提供業者決済口座データベース３２２を参照し、受信したコンテンツ提供業者名またはコンテンツ提供業者ＩＤに対応して登録されている決済口座情報（金融機関名，支店名，口座番号等）を取得する。そして、制御部３１は、コンテンツの料金をユーザの預託口座からコンテンツ提供業者の決済口座に振り込み、該当ユーザの預託口座の残高をコンテンツの料金分だけ減額した値に更新する（ステップＢ１７）。
【００４５】
次に、ステップＢ１３において、預託口座残高がコンテンツの料金未満であった場合について、図４を参照して説明する。
【００４６】
コンテンツ提供サーバ２０の制御部２１は、図７に示すように、注文コンテンツを提供するには預託口座残高不足であることを通知し、注文コンテンツを残高分に見合う時間だけ提供するか、残高分で提供可能な同一分野の他のコンテンツを提供するか、今回は視聴を取りやめるか、のいずれかの以後の処理をユーザに選択するよう依頼する（ステップＣ１）。ユーザは、いずれかを選択しコンテンツ提供サーバ２０に送信する（ステップＣ２）。
【００４７】
ステップＣ２でユーザに選択された処理が、注文コンテンツの残高分提供であった場合には（ステップＣ３）、制御部２１はコンテンツ別単位時間料金データベース２２３を参照し、ユーザから注文されたコンテンツの単位時間料金（例えば、１分毎の料金）を取得する。そして、制御部２１は（預託口座残高÷単位時間料金）により提供可能時間を算出し、ユーザ端末１０に通知する。例えば、コンテンツ別単位時間料金データベース２２３に、注文コンテンツ（例えば、図７に示す、社会人ラグビー決勝戦）の視聴時間が１００分、料金が１，０００円、１分毎の料金が１０円と登録されており、ユーザの預託口座残高が５００円であった場合を想定すると、
2005018320.tif 000003
となる（ステップＣ４）。そして、制御部２１は算出された提供可能時間だけコンテンツをユーザ端末１０に提供する。このとき、制御部２１はタイマー２３を参照して提供可能時間の経過監視を行い、提供可能時間に達したらコンテンツ提供を中止する（ステップＣ５）。ユーザはユーザ端末１０により提供可能時間だけ注文コンテンツを視聴する（ステップＣ１０）。
【００４８】
ステップＣ２でユーザに選択された処理が、残高分で提供可能な同一分野の他のコンテンツ要求であった場合には（ステップＣ６）、制御部２１はコンテンツ情報データベース２２２を参照し、注文されたコンテンツと分野が同じ（例えば、スポーツ）で料金が残高以下のコンテンツを検索し、該当コンテンツ情報を取得してユーザ端末１０に送信する（ステップＣ７）。ユーザは、希望するコンテンツが有れば選択してコンテンツ提供サーバ２０に送信し、無ければキャンセルして処理を終了する（ステップＣ８）。ユーザに選択されたコンテンツをユーザ端末１０から受信したコンテンツ提供サーバ２０の制御部２１は、該当コンテンツをユーザ端末１０に提供し（ステップＣ９）、ユーザはユーザ端末１０によりコンテンツを視聴する（ステップＣ１０）。
【００４９】
ステップＣ５またはステップＣ９に続き、コンテンツ提供サーバ２０の制御部２１は預託決済サーバ３０にアクセスし、預託口座番号，コンテンツの料金（ステップＣ５の場合は預託口座残高に相当し、ステップＣ９の場合はコンテンツの料金），コンテンツ提供業者名またはコンテンツ提供業者ＩＤを送信して、コンテンツ料金の決済処理を依頼する（ステップＣ１１）。預託決済サーバ３０の制御部３１は、コンテンツ提供業者決済口座データベース３２２を参照し、受信したコンテンツ提供業者名またはコンテンツ提供業者ＩＤに対応して登録されている決済口座情報（金融機関名，支店名，口座番号等）を取得する。そして、制御部３１は、コンテンツの料金をユーザの預託口座からコンテンツ提供業者の決済口座に振り込み、該当ユーザの預託口座の残高をコンテンツの料金分だけ減額した値に更新する（ステップＣ１２）。
【００５０】
ステップＣ２でユーザに選択された処理が、視聴取り止めであった場合には（ステップＣ１３）、制御部２１は処理を終了する。
【００５１】
次に、本発明の他の実施の形態について図６および図８を参照して説明する。図８は、有料コンテンツ注文画面の他の例を示す図である。
【００５２】
本発明の一実施の形態においては、コンテンツの注文は図６に示すようなコンテンツの中から選択するとして説明した。図６の各コンテンツは、例えばサッカーを例にとると前半，後半の両方の内容を含んだものであり、前半だけ又は後半だけといった分割提供は含まれていない。
【００５３】
これに対し、本実施の形態は、コンテンツを所定時間単位（例えば、３０分，１時間等）に分割したり、またはパート毎（例えば、前半，後半等）に分割しておき、分割した各コンテンツ（例えば、前半のみ）と分割しない全体のコンテンツ（例えば、前半および後半）の中からユーザに選択させるものである。図８の有料コンテンツ注文画面を参照すると、２００２Ｗ杯サッカーが（前半＋後半），（前半のみ），（後半のみ）に分けられ、提供時間（視聴する時間）がそれぞれ１００分，５０分，５０分、料金がそれぞれ１，５００円，８００円，８００円となっている。これらのコンテンツは予めコンテンツ提供サーバ２０のコンテンツ情報データベース２２２にそれぞれ格納されている。ユーザは、提供時間（視聴に要する時間）や料金を参考にして所望するコンテンツを選択する。なお、他の動作については本発明の一実施の形態と同じであるため、重複を省く意味で説明を省略する。
【００５４】
以上のように、本実施の形態においては、一実施の形態に比べ、ユーザの時間的制約や興味により所望するコンテンツ部分のみを低料金で視聴できるという、さらなる効果が得られる。
【００５５】
【発明の効果】
本発明は、ユーザの預託残高が所望するコンテンツの料金未満であった場合でも、預託残高に見合う時間分だけコンテンツを切り売り提供したり、預託残高で提供可能な他のコンテンツをユーザに推奨して提供するようにしたため、ユーザに対するサービスが向上するとともに、コンテンツ提供業者にとっても、売り上げ増につながるという効果が得られる。
【図面の簡単な説明】
【図１】本発明の一実施の形態の構成を示す図である。
【図２】会員登録時の動作を示すフローチャートである。
【図３】コンテンツ提供時の動作を示すフローチャートである。
【図４】コンテンツ提供時の動作を示すフローチャートである。
【図５】有料コンテンツ注文画面の一例を示す図である。
【図６】有料コンテンツ注文画面の一例を示す図である。
【図７】預託口座残高不足時の通知画面の一例を示す図である。
【図８】有料コンテンツ注文画面の他の例を示す図である。
【符号の説明】
１０    ユーザ端末
２０    コンテンツ提供サーバ
２１    制御部
２２    記憶部
２２１    会員データベース
２２２    コンテンツ情報データベース
２２３    コンテンツ別単位時間料金データベース
２３    タイマー
３０    預託決済サーバ
３１    制御部
３２    記憶部
３２１    預託口座データベース
３２２    コンテンツ提供業者決済口座データベース
１００    ネットワーク
【図１】
2005018320.tif 000004
【図２】
2005018320.tif 000005
【図３】
2005018320.tif 000006
【図４】
2005018320.tif 000007
【図５】
2005018320.tif 000008
【図６】
2005018320.tif 000009
【図７】
2005018320.tif 000010
【図８】
2005018320.tif 000011